(57)【特許請求の範囲】
【請求項１】
前輪と後輪を備えた車台部の後部に支柱が立てられ、同支柱に、荷台の下辺枠部の後部が上下方向への回転が可能に支持され、
前記荷台は、その下辺枠部の前部に荷物の前囲い枠部を備えており、
前記荷台の下辺枠部と、前記車台部又は支柱との間に、荷台の前記回転動作を緩衝する手段が設置されており、
荷台の下辺枠部の後端部に、トラックの積荷台と連結し連結姿勢を保持する連結手段が設けられ、
車台部に、運搬用台車を路面上へ位置決め固定する位置決め手段が設けられ、荷台の下辺枠部を水平姿勢に止めるストッパ手段、及び下方へ回転した前囲い枠部を一定位置に止めるストッパ手段が設けられていること、
荷台の下辺枠部及び前囲い枠部に、荷物の引き込み用及び引き出し用として回転自在なコロ又はローラが複数設置され、前囲い枠部にはさらに、下方へ回転して前記ストッパ手段により一定位置に止められているときに荷物の引き込み用及び引き出し用として用いる誘導路部が延設されていることを特徴とする、運搬用台車。
【請求項２】
前記誘導路部は、路面との段差量を可及的に軽減する向きに屈曲されていることを特徴とする、請求項１に記載した運搬用台車。
【請求項３】
前記下方へ回転した前囲い枠部は、前上がり傾斜角を５度〜１５度の位置に設定して止められていることを特徴とする、請求項１又は２に記載した運搬用台車。
【請求項４】
前記荷台の回転動作を緩衝する手段は、伸縮動作が自在なガススプリング、又はガススプリングとリンク機構とを組み合わせた構成であることを特徴とする、請求項１〜３のいずれか一に記載した運搬用台車。
【請求項５】
前記荷台の下辺枠部とトラックの積荷台とを連結して連結姿勢を保持する連結手段は、下辺枠部の後端部へ上下方向へ起伏する回転が自在に設置された、先端部にトラックの積荷台へ掛け止めるフックを備えた渡り桟橋板、又は先端部にトラックの積荷台へ掛け止めるフックを備えた一対のフック部材であることを特徴とする、請求項１〜４のいずれか一に記載した運搬用台車。
【請求項６】
前記運搬用台車を路面上へ位置決め固定する位置決め手段は、車台部の前部及び後部の外側部位に設置された、垂直下向きに押し下げて路面に突き立て前輪及び後輪を路面から浮き上がらせる足踏みピン機構として構成されていることを特徴とする、請求項１〜５のいずれか一に記載した運搬用台車。
【請求項７】
上記請求項１〜６のいずれかに記載した運搬用台車を使用して実施する荷下ろし小運搬方法であって、
運搬用台車の荷台の下辺枠部を水平状態に止め、連結手段によりトラックの積荷台と連結して荷台の下辺枠部を水平姿勢に支持させ、同運搬用台車の車台部に設置した位置決め手段により路面上に位置決め固定すること、
トラックの積荷台に積まれた荷物は、積荷台上を移動させて前記荷台の下辺枠部上へ引き込み進入させて同荷台に支持させること、
次に、荷台を支持しているストッパ手段を解除して、荷台の下辺枠部を下向き方向へ回転させて前囲い枠部を路面へ接近させ、同前囲い枠部が車台部の受け部材へ止まった状態を更にストッパ手段により止めて支持させ、
しかる後に前記位置決め手段を解除して運搬用台車を手押し操作可能にし、目的の場所へ手押しにより小運搬することを特徴とする、荷下ろし小運搬方法。
【発明の詳細な説明】
【技術分野】
【０００１】
この発明は、トラックに積んだ板ガラス製品の梱包体やガラス板張り建具などの積荷を立てた姿勢のまま、同トラックの積荷台から１人の作業員の手作業で運搬用台車へ荷下ろししてそのまま運搬用台車で小運搬することに至便の運搬用台車、及び荷下ろし小運搬方法の技術分野に属する。
【背景技術】
【０００２】
トラック輸送の分野では基本的に運転手一人で荷物の積み下ろし作業まで行うことが多くなっている。したがって、一人作業に適する運搬用台車が種々開発され、使用されている。
しかし、素手の力で持ち運ぶことが難しいガラス製品の梱包体やガラス板張り建具のような積荷を立てた姿勢のまま、トラックの積荷台から下ろし、運搬用台車へ積んで指定された場所へ小運搬する仕事に適する運搬用台車は未だ見当たらない。
因みに、ガラス板張り建て具は、縦×横の寸法が２．４ｍ×３ｍ、厚さ１５０ｍｍ、重量は８０Ｋｇもある。このような大型・大重量板状物をトラックで積み出す製造工場などには、通例、フォークリフト車の用意があるので、それを利用してトラックの積荷台へ積み込む作業は一人でも容易に行える。しかし、前記積荷を下ろす場所には、たいていフォークリフト車の用意が無いし、フォークリフト車をトラックへ積んで持ち回ることもできない。よって、運転手一人の力作業で前記積荷の荷下ろし作業を行うほかないので、作業は困難をきわめる。
もっとも、車載クレーン搭載車で納品することも多くなっている。しかし、車載クレーン搭載車を使用する場合は、車載クレーンを搭載した分だけ積荷台が狭くなっており、積載量が減って運搬コストが増大する問題点もある。
【０００３】
先行技術として、下記の特許文献１に記載された「運搬機」は、高圧ガスボンベのような円柱形状の重量物を寝かせた姿勢でトラック等の積荷台へ積み込み、又は同積荷台から下ろして小運搬する仕事に便利な構成である。
特許文献２に記載された「板ガラス搬送装置」は、大型・大重量の板ガラスを立てた姿勢で水平運搬することに適した構成である。
また、特許文献３に記載された「パレット積載用台車」も、同様にガラス板を立てた姿勢のまま鉄製のパレット（梱包容器）内へ複数枚積層した大型・大重量板状物を、立てた姿勢で水平運搬することに適した構成である。
しかし、上記引用文献２、３の運搬車は、ともにガラス板等を立てた姿勢で水平運搬する用途を有するのみで、ガラス板等を立てた荷姿のままトラックの積荷台から一人作業で下ろして台車へ積む方法や手段については一切開示がない。  
【先行技術文献】
【特許文献】
【０００４】
【特許文献１】特公平７−１１５６４０号公報
【特許文献２】特開２００３−２１２０３１号公報
【特許文献３】特開２００６−１６８４４４号公報
【発明の概要】
【発明が解決しようとする課題】
【０００５】
上記のとおり、既往の各先行技術文献１〜３は、それぞれ対象とする積載する荷物の形状や運搬目的に適応する構成の運搬用台車を開示しているにすぎない。
しかし、本願発明が対象とする大型・大重量の板状物を立てた姿勢のまま、トラックの積荷台から、１人の作業員の手作業で荷下ろしができる運搬用台車及び運搬用台車へ荷下ろしする方法については、一切開示も示唆もない。
【０００６】
本発明の目的は、トラックの積荷である大型・大重量の板状物を、立てた姿勢のまま、積荷台から、１人の作業員の手作業で運搬用台車へ荷下ろしすることが容易に可能で、台車上へ下ろした積荷は、そのまま安定な積載状態で、手押し台車の操作で運搬して目的の場所へ小運搬することに適し、指定の場所へ立ち姿のまま下ろして置く作業に適する構成の運搬用台車、及び前記トラックの積載荷物を運搬用台車へ荷下ろしする方法を提供することにある。
【課題を解決するための手段】
【０００７】
上記課題を解決する手段として、請求項１に記載した発明に係る運搬用台車は、
前輪１２と後輪１３を備えた車台部１１の後部に支柱１４が立てられ、同支柱１４に、荷台２０の下辺枠部２１の後部が上下方向への回転が可能に支持され、
前記荷台２０は、その下辺枠部２１の前部に荷物Ｗの前囲い枠部２２を備えており、
前記荷台２０の下辺枠部２１と、前記車台部１１又は支柱１４との間に、荷台２０の前記回転動作を緩衝する手段３０が設置されており、
荷台２０の下辺枠部２１の後端部に、トラック１００の積荷台１０１と連結し連結姿勢を保持する連結手段４０又は４２が設けられ、
車台部１１に、運搬用台車１を路面上へ位置決め固定する位置決め手段５０、５１が設けられ、荷台２０の下辺枠部２１を水平姿勢に止めるストッパ手段１８、及び下方へ回転した前囲い枠部２２を一定位置に止めるストッパ手段１９が設けられていること、
荷台の下辺枠部及び前囲い枠部に、荷物の引き込み用及び引き出し用として回転自在なコロ又はローラが複数設置され、前囲い枠部にはさらに、下方へ回転して前記ストッパ手段により一定位置に止められているときに荷物の引き込み用及び引き出し用として用いる誘導路部が延設されていることを特徴とする。
【０００８】
請求項２に記載した発明は、請求項１に記載した運搬用台車１において、前記誘導路部は、路面との段差量を可及的に軽減する向きに屈曲されていることを特徴とする。
請求項３に記載した発明は、請求項１又は２に記載した運搬用台車１において、前記下方へ回転した前囲い枠部は、前上がり傾斜角を５度〜１５度の位置に設定して止められていることを特徴とする。
請求項４に記載した発明は、請求項１〜３のいずれか一に記載した運搬用台車１において、前記荷台の回転動作を緩衝する手段は、伸縮動作が自在なガススプリング、又はガススプリングとリンク機構とを組み合わせた構成であることを特徴とする。
請求項５に記載した発明は、請求項１〜４のいずれか一に記載した運搬用台車１において、前記荷台２０の下辺枠部２１とトラック１００の積荷台１０１とを連結して連結姿勢を保持する連結手段４０は、下辺枠部２１の後端部へ上下方向へ起伏する回転が自在に設置された、先端部にトラック１００の積荷台１０１へ掛け止めるフック４１を備えた渡り桟橋板４０、又は先端部にトラック１００の積荷台１０１へ掛け止めるフック４３を備えた一対のフック部材４２であることを特徴とする。
【０００９】
請求項６に記載した発明は、請求項１〜５のいずれか一に記載した運搬用台車１において、前記運搬用台車１を路面上へ位置決め固定する位置決め手段５０と５１は、車台部１１の前部及び後部の外側部位に設置された、垂直下向きに押し下げて路面に突き立て前輪１２及び後輪１３を路面から浮き上がらせる足踏みピン機構として構成されていることを特徴とする。
【００１０】
請求項７に記載した発明に係る荷下ろし小運搬方法は、上記請求項１〜６のいずれかに記載した運搬用台車１を使用して実施する荷下ろし小運搬方法であって、
前記運搬用台車１の荷台２０の下辺枠部２１を水平状態に止め、連結手段４０又は４２によりトラック１００の積荷台１０１と連結して荷台２０の下辺枠部２１を水平姿勢に支持させ、同運搬用台車１の車台部１１に設置した位置決め手段５０、５１により路面上に位置決め固定すること、
トラック１００の積荷台１０１に積まれた荷物Ｗは、積荷台１０１上を移動させて前記荷台２０の下辺枠部２１上へ引き込み進入させて同荷台２０に支持させること、
次に、荷台２０を支持しているストッパ手段１８を解除して、荷台２０の下辺枠部２１を下向き方向へ回転させて前囲い枠部２２を路面へ接近させ、同前囲い枠部２２が車台部１１の受け部材１７へ止まった状態で同前囲い枠部２２のストッパ手段１９により止めて支持させ、
しかる後に前記位置決め手段５０、５１を解除し、運搬用台車１を手押し操作可能にし、目的の場所へ手押しにより小運搬することを特徴とする。
【発明の効果】
【００１１】
本発明に係る運搬用台車１は、構造が簡単で、製作が容易である上に、小型、軽量であるから、トラック等１００の積荷台１０１に空きスペースを見付けて載せ、持ち回ることが容易に可能である。
使用場所では、運搬用台車１の荷台２０の下辺枠部２１を水平状態に止め、連結手段４０又は４２によりトラック１００の積荷台１０１と連結して荷台２０の下辺枠部２１を水平姿勢に支持させ、同運搬用台車１の車台部１１に設置した位置決め手段５０、５１により路面上に位置決め固定する。そして、トラック１００の積荷台１０１に積まれた荷物Ｗは、積荷姿勢のまま積荷台１０１上を滑らすように移動させて荷台２０の下辺枠部２１上へ引き込み進入させ同荷台２０に支持させる。したがって、トラック１００の運転手一人の力作業として荷物Ｗの積み替えが容易に可能である。
【００１２】
その後、荷台２０を支持しているストッパ手段１８を解除して、荷台２０の下辺枠部２１を下向き方向へ回転させて前囲い枠部２２を路面へ接近させ、同前囲い枠部２２が車台部１１の受け部材１７へ止まった状態を更にストッパ手段１９により前囲い枠部２２の位置を止めて支持させることにより、荷物Ｗ及び荷台２０の重心を十分に下げて安定、安全な状態にできる。この荷台２０の回転動作は、ガススプリング等の緩衝手段３０が働いて重力作用を緩和、緩衝するので、荷物Ｗ及び荷台２０の重量が大きくとも、ゆっくりと安全な速さと作用力で行うことができる。
しかる後に前記位置決め手段５０、５１を解除して前輪１２及び後輪１３を着地させ、運搬用台車１を手押し操作可能状態にすると、一人の作業として目的の場所へ安定、安全な状態で小運搬することができる。
運搬用台車１が目的の場所へ到達すると、既に荷物Ｗは路面へ接近させ前囲い枠部２２に支持されているので、そのまま、或いは位置決め手段５０、５１を再び働かせて固定した上で、前囲い枠部２２上を滑らせる要領で荷物Ｗ引き出して下ろし、指定の保管場所へ楽に安全に置くことができる。
【図面の簡単な説明】
【００１３】
【図１】本発明に係る運搬用台車の実施例１を示した斜視図である。
【図２】上記運搬用台車をトラックと連結した使用状態を示す側面図である。
【図３】上記運搬用台車をトラックの積荷台に対し荷下ろしに適した位置及び姿勢に連結した使用状態を示す斜視図である。
【図４】運搬用台車をトラックと連結する連結手段の使用状態を拡大して示した斜視図である。
【図５】運搬用台車をトラックと連結する連結手段の異なる実施例を使用状態で拡大して示した斜視図である。
【図６】運搬用台車の荷台へ荷物を積み替える作業状態を示す斜視図である。
【図７】運搬用台車の荷台を荷物と共に地面側へ回転して下げる途中段階を示した斜視図である。
【図８】運搬用台車をトラックから分離し作業員が手押しする小運搬状態を示した斜視図である。
【図９】運搬用台車の荷台の回転を緩衝する緩衝手段の異なる実施例を図２と同様な視点で示した側面図である。
【図１０】本発明に係る運搬用台車の異なる実施例２を示した正面図である。
【図１１】上記図１０（実施例２）の運搬用台車を示した平面図である。
【図１２】荷台の下辺枠部を水平状態に止めるストッパ手段等の詳細を示す斜視図である。
【図１３】上記運搬用台車の後部の特に運搬用台車を路面上へ位置決め固定する手段の詳細を示す立面図である。
【図１４】上記運搬用台車の前部の特にストッパ手段及び運搬用台車を路面上へ位置決め固定する手段等の詳細を示す斜視図である。
【発明を実施するための形態】
【００１４】
車輪１２、１３を備えた車台部１１の後部に支柱１４を立て、同支柱１４に、荷台２０の下辺枠部２１の後部を上下方向への回転が可能に支持させる。
前記荷台２０は、その下辺枠部２１の前部に荷物の前囲い枠部２２を備えている。
前記荷台２０の下辺枠部２１と、前記車台部１１又は支柱１４との間に、同荷台２０の前記回転動作を緩衝する手段３０が設置されている。
荷台２０の下辺枠部２１の後端部に、トラック１００の積荷台１０１と連結し連結姿勢を保持する連結手段４０又は４２を設ける。
車台部１１に、当該運搬用台車１を路面上へ位置決め固定する位置決め手段５０、５１を設ける。また、荷台２０の下辺枠部２１を水平姿勢に止めるストッパ手段１８、及び下方へ回転した前囲い枠部２２を一定位置に止めるストッパ手段１９を設ける。
【実施例１】
【００１５】
図１〜図８は、本発明による運搬用台車１の基本的形態を示すもので、例えば荷物Ｗとして板ガラス製品の梱包体やガラス張り建具その他の大型・大重量の板状荷物を、トラック１００の積荷台１０１から一人の作業員による力作業として荷下ろしを行い小運搬する用途に適する手押し台車として構成した実施例１を示している。この運搬用台車１は、全体が金属構造として構成されている。
この運搬用台車１は、上記大型のガラス張り建具の荷下ろし小運搬に適するように平面視を前後方向に細長い形状とした車台部１１が、その前後及び左右の位置にゴム車輪である前輪１２と、大径の後輪１３を備えて、地面上を略水平姿勢で走行する構成とされている。もっとも車台部１１の平面形状は、積み込む荷物Ｗの形状に応じて適する形態及び構造とされる。前輪１２及び後輪１３はストッパー付きキャスターとして構成されている。前輪１２と後輪１３の車軸間隔は約１２００ｍｍ余の大きさとされている。後輪１３は、運搬用台車１の安定性を確保する配慮で、車輪幅を例えば８００ｍｍと大きく構成されている。
車台部１１の後端の両側位置に２本の支柱１４、１４が地上約９５０ｍｍの高さまで垂直に立てられ、該支柱１４、１４間の上部に、荷台２０の下辺枠部２１の後部が、回転軸１５によりブランコの如く上下方向への回転が自在に支持されている。
前記２本の支柱１４、１４の上部と、車台部１１の前部との間が、前記荷台２０の回転が可能な間隔を開けて平行に配置した２本の斜材１６により剛結され、もって荷台２０とこれに積んだ荷物Ｗが下方向へ回転する運動に対し十分安定で堅牢な構成とされている。
【００１６】
上記荷台２０は、図１と図２に示すとおり、荷物Ｗが上記した大きな板ガラス建具（板状荷物）であることを前提として、幅寸が約４５０ｍｍ、長さが１ｍ程度の下辺枠部２１の前端部に、直角上方向へ立ち上がる長さ１ｍ程度の前囲い枠部２２を一連に形成した直角２辺形状の構成であり、トラック１００に積載した荷物Ｗの荷下ろしに使用する時には、図１、図２の如く下辺枠部２１を水平な状態で使用する。
荷台２０は、上記した大きな板ガラス建具の如き荷物Ｗを安定状態に積み込み支持できるように、前囲い枠部２２の先端部と下辺枠部２１の後部との間には、荷物Ｗの倒れ防止用として働く２本の補助枠材２３、２３が、中間部を略直角に屈曲した形状で平行に配置され連結されている。
したがって、図１及び図２に示したとおり、荷台２０を側面方向に見ると、ほぼ正方の枠組み形状に構成されている。そして、荷台２０は、前記下辺枠部２１と前囲い枠２２及び補助枠２３とで囲まれた空間の後面２４と上面２５が開放されており、板状の荷物Ｗを引き込み進入させることが可能で、しかも倒れを防止して安定状態に収納・保持できる構成とされている。
荷台２０の上記下辺枠部２１と前囲い枠２２にはそれぞれ、後述するように板ガラス建具の如き荷物Ｗを手作業により引き込み進入させる作業、又は同荷台２０から引き出して路上などへ下ろす作業を容易にするため、回転自在なローラ２６（又はコロ）が一定の間隔を開けて複数設置されている。隣接するローラ２６、２６間の隙間は目隠し板２７で塞いだ構成とされている。
【００１７】
上記構成の荷台２０は、上記荷物Ｗを水平状態の下辺枠部２１へ引き込み載せた後には、前記状態から図１、図２中に記載した矢印Ｒの方向へゆっくりと回転させ、最終的には荷物Ｗを前囲い枠２２に載せた状態にして路面近傍の位置まで下ろして、図８に示したように小運搬が可能な状態に変化させる。そうした荷台２０の回転動作に際し、荷台２０及び荷物Ｗの重量に起因する加速度的に急激な回転を緩和、緩衝する手段として、図示例の場合は、下辺枠部２１と前記車台部１１の後部枠との間に、直線状でテレスコピックな伸縮動作が自在な公知のガススプリング３０が左右に２本設置されて、上記荷台２０を支持する構成とされている。
したがって、荷台２０は、図１及び図２に実線で示したようにガススプリング３０により下辺枠部２１を水平な状態に支持させて、トラック１００の積荷台１０１に積載された荷物Ｗを下辺枠部２１へ引き込んで載せる。そして、ガススプリング３０を操作して収縮動作を開始させることにより、下辺枠部２１とその上の荷物Ｗを合一に、両者の重量に起因する大きな回転力を緩和・緩衝しつつ、回転軸１５を中心として荷台２０を図１、図２中に記載した矢印Ｒの方向（下方）へゆっくりと安全な状態に回転させる。その過程において荷台２０に積んだ荷物Ｗは、当初下辺枠部２１上に積んだ状態から、次第に前囲い枠２２に載せる状態に切り換えて路面近傍の位置まで下ろす。
【００１８】
もっとも、荷台２０を支持してその回転動作を緩和・緩衝させる手段は、上記したガススプリング３０のみによる構成に限らない。例えば図９に示したように、下辺枠部２１と支柱１４を含む拘束リンク機構３１の可動節を、やはり上述したガススプリング３０で駆動する構成によっても同様に実施することが出来る。この実施例によれば、拘束リンク機構３１を利用したことにより、ガススプリング３０の伸縮ストロークを短縮化できるし、また、荷台２０を支持してその回転動作を緩和・緩衝させる際にガススプリング３０が負担する作用力（回転力）を軽減化する構成を実現することもできる。
【００１９】
次に、車台部１１の前部には、上記のように回転軸１５を中心として下方へ回転した荷台２０の前囲い枠２２を、一定の前上がり傾斜角θの位置に受け止めて支持するストッパ手段として、図示例の場合は両側の斜材１６、１６間に架設した受け止め部材１７が架設されている。但し、この受け止め部材１７は、直接車台部１１の左右の外周フレーム材へ架設しても良いし、或いは中間部を切除したに等しい短い部材で実施することもできる。
因みに、下方へ回転してきた前囲い枠２２を、上記の受け止め部材１７で支持させた前上がり傾斜角θ（図２参照）は、運搬用台車１の手押し走行中に、前囲い枠２２上に載せた荷物Ｗが前囲い枠２２上を滑って不用意に前方へ飛び出す不具合や危険を防ぐことができ、しかも小運搬後には作業員１人の腕力で荷物Ｗを前囲い枠２２から引き出して下ろす作業が困難でないように、例えば５度〜１５度ぐらいに設定されている。
【００２０】
次に、上記荷台２０の下辺枠部２１の後端部には、板状の荷物Ｗを積載して運送してきたトラック１００（図３等参照）の積荷台１０１から、運搬用台車１の荷台２０へ荷物Ｗを下ろす作業に最適な位置及び姿勢に、例えば図２及び図３に示すように連結する連結手段として、先端部にフック４１を備えた渡り桟橋板４０が起伏操作が自在に設置されている（図１、図２も参照）。
渡り桟橋板４０の構成は、図４に詳示した通り、荷台２０の下辺枠部２１の後端部の両側へ共通な回転軸を持つ配置で設置したヒンジ４４により、図４に示す水平状態を中心として、上方へせいぜい３０度ぐらいまで、及び下方へは少なくとも９０度ぐらいまで自由に回転できる構成で取り付けて設置されている。
因みに運搬用台車１は、上記した寸法構成に基づき、荷台２０の下辺枠部２１は水平状態に支持されるとトラック１００の積荷台１０１とほぼ同じ高さになる。したがって、渡り桟橋板４０をヒンジ４４の位置で回転して、図４のように水平な姿勢でトラック１００の積荷台１０１へ連結すると、渡り桟橋板４０は、荷台２０の下辺枠部２１とトラック１００の積荷台１０１とをほぼ水平状態に連結することができる。
【００２１】
上記の渡り桟橋板４０は、その先端部にほぼ直角下向きに屈曲したフック部４１を備えている。一方、トラック１００の積荷台１０１を構成する３辺のアオリ１０３は、そのいずれかを外向きに倒すと、図２中に拡大図で示したとおり、ヒンジ部１０４の厚さに起因する隙間１０２が形成されることは公知である。よって、渡り桟橋板４０の前記フック部４１を、前記の隙間１０２へ差し込んで止めると（図２の拡大図を参照）、トラック１００の積荷台１０１と運搬用台車１の荷台２０とは略同一レベルで水平に連結できるだけでなく、同渡り桟橋板４０の強度及び剛性に基づいて、運搬用台車１の連結姿勢、連結状態を保持する。そのため渡り桟橋板４０は、荷下ろし作業に際して通過する荷物Ｗの重量にも耐える強度及び剛性を有するように少し厚い蝶番が使用されている。
上記のようにしてトラック１００の積荷台１０１と運搬用台車１とを渡り桟橋板４０で連結し、更に前輪１２及び後輪１３を各々ストッパーを働かせ、或いは車輪止めを使用して固定した後に、トラック１００の積荷台１０１上に積んだ荷物Ｗの荷下ろし作業を進めることができる。その際には図６に例示するように、１人の作業員（運転手）の腕力（手作業）で、板状の荷物Ｗは積荷台１０１上を滑らせ、更に渡り桟橋板４０上を横滑りさせる要領で、荷台２０の下辺枠部２１上へと楽に乗り移らせることが出来る。
したがって、渡り桟橋板４０にも荷物Ｗを軽く滑らせるローラ又はコロを設置しておくことも好ましい。
【００２２】
以下に、上記の運搬用台車１を使用して、トラック１００の積荷台１０１に積載し運搬してきた板状の荷物Ｗを下ろして小運搬する作業方法について更に詳しく説明する。
上記構成の運搬用台車１は、荷台２０を例えば図８に示すように前囲い枠部２２が車台部１１の上記した受け止め部材１７へ当たる位置まで回転して下げると、比較的に小型・軽量で細幅な構成になるので、トラック１００の積荷台１０１上へ、大型・大重量板状物Ｗの積載位置を避けた空きスペースを確保して積荷台１０１上へ一緒に載せて各目的地へ運ぶことで、１人の作業員（運転手）のみでも荷下ろし小運搬の利便に供し得る。この場合、車台部１１と支柱１４及び斜材１６の構造を折り畳式、或いは組み立て解体が自在な構成とし、或いは後輪１３の車輪間隔を伸縮可能な構成とし、更に荷台２０も組み立て、解体が容易に可能な構成にすると、更に持ち運びや積荷台１０１への積み込みも容易にできる。
即ち、トラック１００が目的地へ着くと、積荷台１０１を構成するアオリ１０３のうち、荷物Ｗを下ろそうとする側のアオリ１０３を回転して下方へ倒して、先ず運搬用台車１を先行して地面上へ下ろす。そして、先ずは図１に示したようにガススプリング３０を伸張させる操作をして、荷台２０を例えば図１に示したように下辺枠部２１が水平な状態にする。しかる後に前記の運搬用台車１を、トラック１００の積荷台１０１のうちアオリ１０３を倒した側へ移動させ、積荷台１０１上の荷物Ｗへ最も近くて荷下ろし作業が容易な位置に定め、運搬用台車１の荷台２０をほぼ直角な向きに配置し、同荷台２０の後部側をトラック１００の積荷台１０１へ接近させる。
【００２３】
次に、渡り桟橋板４０を上方へ回転して起こし、図３と図４に示したように、トラック１００の積荷台１０１と、倒したアオリ１０３との隙間１０２へ、渡り桟橋板４０の先端部のフック４１を挿し入れて止め、運搬用台車１の荷台２０の下辺枠部２１と、トラック１００の積荷台１０１とをがっちり連結する。かくするとトラック１００の積荷台１０１と荷台２０の下辺枠部２１とを渡り桟橋板４０によりほぼ同じ高さで一連の水平状態に連結できる（図３、図４）。そして、渡り桟橋板４０の強度と剛性により、運搬用台車１はトラック１００の積荷台１０１に対して荷物Ｗを下ろす作業に適した姿勢に位置決め固定を行える。
【００２４】
そこで作業者は、トラック１００の積荷台１０１上に積まれた荷物Ｗを、例えば図３に例示したように立てた荷姿のまま積荷台１０１上を滑らす如くに移動させて、渡り桟橋板４０上を渡らせ、運搬用台車１の荷台２０の下辺枠部２１上へと進入させる。そのまま図６に示すように、荷物Ｗは運搬用台車１の荷台２０の下辺枠部２１上を前方の前囲い枠部２２へ突き当たる位置まで引き込んで、同荷台２０上に支持させる（図２の実線及び図６を参照）。かくして荷物Ｗは荷台２０上へ載せたことになる。
次には上記渡り桟橋板４０のフック４１をトラック１００の積荷台１０１の隙間１０２から引き抜いて外し、トラック１００との連結を解除して荷台２０を回転させる。
その手段として荷台２０の下辺枠部２１を水平状態に支持しているガススプリング３０を収縮させる操作を行う。すると荷物Ｗを載せた荷台２０は、回転軸１５を中心に図２の円弧矢印Ｒのように前囲い枠部２２の方が下向き方向へゆっくり回転する。このときの荷台２０の回転は、ガススプリング３０が有する速度の緩和、緩衝機能により、荷物Ｗ及び荷台２０の重量に起因する大きな回転力に抵抗しつつ、安全な速度を保った回転を行わせることが出来る。
かくして荷台２０が下方へ回転する途中の段階を図７に示した。更に図８は荷台２０の前囲い枠部２２が車台部１１の突き当たり部材１７へ突き当たって止まり、支持状態となった段階を示している。
つまり、上記のように荷台２０が下方へ回転する途中の段階で、荷台２０上の板状をなす荷物Ｗは、下辺枠部２１上へ乗せた状態から、前囲い枠部２２に支持される状態へと変化する。
【００２５】
上記のようにして前囲い枠部２２が車台部１１の突き当たり部材１７へ突き当たって止められた状態は、荷物Ｗを載せた前囲い枠部２２が前方へ５度〜１５度の前上がり傾斜角θを呈する状態となる。そして、背が高い板状の荷物Ｗでも、その重心を路面に近い低い位置にまで下げるし、上記した補助枠材２３が荷物Ｗの側面を支える倒れ防止枠として機能するので、荷物Ｗは不用意に横倒しになったりせず、前囲い枠部２２から前方へ飛び出す虞のない安定状態に支持される。
【００２６】
上記の段階に至り、作業員は、前輪１２及び後輪１３のストッパー或いは車輪止めを解除し、図８に示すように、台車後部の左右両側に位置する支柱１４、１４を両手で掴まえて操縦する要領で、運搬用台車１を手押しにより目的の場所へ走行させ、荷物Ｗの小運搬の目的を達成できる。
運搬用台車１を目的の場所へ到達させたならば、荷物Ｗを下ろして載置するのに適正な方向へ運搬用台車１の向き及び位置を定める。そして、再び前輪１２及び後輪１３のストッパーを働かせ、或いは車輪止めを使用して位置を固定する。しかる後に、荷台２０の前囲い枠部２２上に載せた荷物Ｗを、立てた荷姿のまま、前囲い枠部２２上を滑らすように引き出して、指定の保管場所へ下ろし、立て掛けて置くことができる。
【００２７】
ところで、上述した作業工程に関し、説明を省いたが、図２に実線で示し、図６に示したように、下辺枠部２１が水平な状態の荷台２０へ、引き込み方向の幅寸が下辺枠部２１の奥行き寸法よりも長い板状の荷物Ｗを乗せた場合、渡り桟橋板４０を上方へ回転してそのフック４１をトラック１００の積荷台１０１の隙間１０２から引き抜き連結を解除することは、板状の荷物Ｗに邪魔されて実行不可能に近い。しかし、渡り桟橋板４０を、トラック１００の積荷台１０１の隙間１０２から引き抜いて荷台２０の下辺枠部２１とトラック１００の積荷台１０１との連結を解除しないかぎり、荷台２０を回転できず、運搬用台車１の自由な走行移動はできない。
【実施例２】
【００２８】
図５は、上記のような不都合を解決した構成の実施例２を示している。
即ち、図５に示した渡り桟橋板４０’は、先端にフックを有さず、単に荷物Ｗを荷台２０へ引き込む際の渡り板としてのみ機能する構成とされている。
一方、荷台２０を構成する下辺枠部２１を構成する両側のフレーム材２１’の外面側には、別途、トラック１００の積荷台１０１のアオリ１０３を倒して形成される隙間１０２へ差し込んで連結するフック４３を形成したフック部材４２、４２が、軸４５を中心として上下方向への回転が自在に設置されている。前記フック４３を隙間１０２へ差し入れている限り、運搬用台車１は、トラック１００に反力をとってその位置及び姿勢を一定に保持し続ける。
つまり、渡り桟橋板４０の桟橋としての機能と、フック部材４２が運搬用台車１とトラック１００の積荷台１０１とを連結する機能とを分離した構成を特徴とする。
従って、本実施例２によれば、渡り桟橋板４０’はフックを持たないから、上記した引き込み方向の幅寸が下辺枠部２１の奥行き寸法よりも長い板状の荷物Ｗを下辺枠部２１及び渡り桟橋板４０’上に載せた場合でも、荷台２０を図２の前方へ回転させることに一切支障とならない。一方、両側２本のフック部材４２、４２は、下辺枠部２１の両外側に位置するから、前記の長い板状の荷物Ｗを下辺枠部２１及び渡り桟橋板４０’上に載せていても、何時でも必要に応じてトラック１００の積荷台１０１の隙間１０２から引き抜いて下辺枠部２１との連結を解くことが容易に可能である。
隙間１０２から外されたフック部材４２は軸４５を中心に、及び渡り桟橋板４０’はヒンジ４４を中心に回転させてそれぞれ収納状態にできる。
なお、上記のフック部材４２、４２の取り付け板は、下辺枠部２１ではなく、運搬用台車１の後部に立つ支柱１４の上部へ軸４５により取り付けて実施することもできる。
また、フック部材４２、４２が、運搬用台車１における荷台２０の下辺枠部２１の後部をトラック１００の積荷台１０１へ十分に接近させた状態に取り付けることができ、トラック１００の積荷台１０１へ積んだ荷物Ｗを荷台２０の下辺枠部２１へ引き込む作業の際に不都合でないときは、渡り桟橋板４０’の設置を省略した構成で実施することもできる。
【実施例３】
【００２９】
最後に、図１０以下は、上記実施例１、２の構成原理に基づいて構成した上で、更に実用的な機能要素を付加した構成の実施例３を示している。
そこで以下には、上記実施例１、２の構成の説明と重複する説明は省きつつ、実施例３の要点を説明する。
実施例３として主に図１０及び図１１に示した運搬用台車１も、前輪１２と後輪１３を備えた車台部１１の後部に支柱１４が立てられ、同支柱１４の上部に回転軸１５により、荷台２０の下辺枠部２１の後部が上下方向への回転が可能に支持されている。
荷台２０は、その下辺枠部２１の前部に略直角に立ち上がる前囲い枠部２２を備えており、下辺枠部２１と前囲い枠部２２それぞれの端部間が、荷物Ｗの倒れ防止用として働く補助枠材２３で連結されている。荷台２０の回転後には最終的に荷物Ｗを載せることになる前囲い枠部２２へ接近した近傍位置に、前囲い枠部２２と平行な配置で、荷物Ｗのはみ出し防止用として働く落下防止材２３’が、補助枠材２３と下辺枠部２１との間に架設されている。
【００３０】
台車後部の左右２本の支柱１４、１４の両外側面には、当該運搬用台車１を手押し操作することに便利であるように、左右両方向へ略水平に突き出るハンドル６０が設けられている。
同じく荷台２０の下辺枠部２１の外側面部の中間位置には、取っ手６１が水平な向きに固定して設置されている。この取っ手６１は、例えば図１０に実線で示したように下辺枠部２１を水平姿勢に位置決めした状態で、当該運搬用台車１を作業員の手で押し動かす操作に至便である。
本実施例３の場合、荷台２０の前記回転動作の速度を緩和、緩衝する手段であるガススプリング３０は、支柱１４の中間高さの位置に後方向きに固定されたブラケット５３と、前記荷台２０の下辺枠部２１を構成する枠材の外側面部に固定して起立させたブラケット５４との間に設置されている。これは図１０に例示したように、荷台２０の上記回転動作の速度を緩和、緩衝するガススプリング３０の機能が必要十分に発揮される構成に工夫した結果である。
【００３１】
本実施例３の場合、荷台２０の下辺枠部２１を水平姿勢に位置決めした状態で、当該運搬用台車１をトラック１００と連結する手段として、図４に例示したフック付きの渡り桟橋板４０又は図５に示すフック無しの渡り桟橋板４０’は採用していない。その代わりの手段として、図１２に例示したように、先端にトラック１００の積荷台１０１の隙間１０２へ止めるフック４３を有するフック部材４２、４２が設置されている。そして、渡り桟橋板の代わりに、荷物引き込み用のローラ２６’が下辺枠部２１の後端部に設置される。
更に、前囲い枠部２２の先端部には、荷台２０と共に図１０中に点線で図示したように路面に接近する位置まで回転された際に、同前囲い枠部２２上に載せた荷物Ｗを下ろす際に、路面との段差量を可及的に軽減して着地時の衝撃を緩和できるように逆向き角度に屈曲されたローラ付きの誘導路部５５が延長構造として付設されている。
もっとも荷台２０の回転により下降された前記誘導路部５５の先端は、通例図１０に示したように路面上に設置するパレット７０と干渉を起こさない高さとして、パレット７０へ荷物Ｗを載置する作業に支障ない構成とされる。
【００３２】
次に、本実施例３の特徴的な構成として、車台部１１の前後の位置に、運搬用台車１を路面上へ位置決め固定する位置決め手段５０、５１が設けられ、また、荷台２０の下辺枠部２１を水平状態に止めるストッパ手段１８、及び下方へ回転した前囲い枠部２２を一定位置に止めるストッパ手段１９が設けられているので、以下これらを説明する。
図１０と図１１が分かり易いように、運搬用台車１の車台部１１を構成する外周フレーム材のうち前後方向の２辺を形成するフレーム材において前輪１２に近い外側位置に位置決め手段５０が垂直下向きの姿勢に設置されている。また、同車台部１１を構成する外周フレーム材のうち後端側の辺を形成するフレーム材の外側面の左右位置に、やはり垂直下向きの姿勢で位置決め手段５１がそれぞれ設置されている。ただし、位置決め手段５０、５１の設置位置は前記の限りではない。また、上記段落番号［００１５］で説明したように、前輪１２と後輪１３がストッパー付きであるときは、位置決め手段５０、５１の設置は必ずしも必要でなく、用途内容に応じていずれか一方を選択して実施すれば足りる。
【００３３】
上記の位置決め手段５０、５１はいずれも同じ構成であり、いわば市販品を利用したものである。具体的には図１０と図１４が分かり易いように、下端に路面へ突き立てる滑り止めシュー５６を備えた足踏みピン５７が、ホルダであるシリンダケース中に復元バネと共に上下方向へ可動状態に収納され、ピン上端が足踏み可能な状態に突き出されている。この足踏みピン５７の昇降ストロークは、当該足踏みピン５７が路面上に突き立てられると相対的に前輪１２（又は後輪１３）が路面から浮上して運搬用台車１を足踏みピン５７のみにて支持し位置決め固定の状態を実現可能な寸法で構成されている。足踏みピン５７の前記シリンダケースは、ブラケット５８により足踏みピン５７を垂直な姿勢として、車台部１１を構成する外周フレーム材へ取り付け固定されている。シリンダケース内には前記足踏みピンを押し下げると、その下降位置へ自動的に止める逆止め機構が内蔵され、前記逆止め機構は解除操作により簡単に外れて、足踏みピン５７が浮上する構成である。
したがって、運搬用台車１を荷台後部のフック部材４２、４２によりトラック１００の積荷台１０１と連結した際に、或いは目的の場所まで小運搬して荷物Ｗを下ろす作業を始める際に、上記の各位置決め手段５０、５１の足踏みピン５７を作業者が足で踏み込み路面へ突き立てると、前輪１２、後輪１３が路面から浮上し足踏みピン５７で支持した状態に堅固に位置決め固定ができ、以後の各作業を行い易くできる。
もっとも、位置決め手段５０、５１を上記足踏みピン５７の構成に限るものではなく、同様な機能を期待できる他の構成、手段を採用して実施できる。
【００３４】
次に、荷台２０の下辺枠部２１を水平状態に止めるストッパ手段１８、及び下方へ回転した前囲い枠部２２を一定位置に止めるストッパ手段１９について説明する。
荷台２０の下辺枠部２１を水平状態に位置決めして止める手段、或いは荷台２０を下向き方向へ回転させて前囲い枠部２２が車台部１１の受け部材１７へ突き当たった位置で止める手段の基本は、上記したガススプリング３０の適切な位置決め操作で一応は達成される。しかし、荷台２０の下辺枠部２１上へトラック１００の積荷台１０１から荷物Ｗを乗り移らせる作業、或いは下降した前囲い枠部２２から路面上のパレット７０へ荷物Ｗを下ろす作業の際に起こり易い衝撃的な振動や衝撃に対して十分安定した位置決め状態を保持できるとは言い難い。仮に前記の各作業時に荷台２０がぐらぐら動いて不安定であると、危険な作業となることは明らかで、ぐらつきは防止する必要がある。前記の不具合を防ぐストッパ手段１８、１９として、本実施例３では以下に説明するピンロック機構を採用しており、機械的に強固な位置決め固定を行う構成とした。ただし、ストッパ手段１８、１９としてのピンロック機構も市販品を利用することが出来るので、詳細な説明は割愛する。
【００３５】
先ず荷台２０の下辺枠部２１を水平状態に位置決めするストッパ手段１８の設置位置と構成は、図１２が分かり易いように、上記支柱１４の上部に後方向きに水平なブラケット１８１を水平姿勢に固定して設け、このブラケット１８１に水平方向内向きに進退自在な構成で止めピン１８２が設置されている。
一方、荷台２０の下辺枠部２１を構成する外周フレーム材の外側面であって、前記止めピン１８２が進退する位置にピン孔１８３を有する被固定部材１８４が固定されている。つまり、荷台２０を上方へ回転して下辺枠部２１を水平状態とした際に、止めピン１８２と被固定部材１８４のピン孔１８３の位置が一致する構成である。
よって作業員は上記下辺枠部２１の水平状態において、止めピン１８２を手で押し込んでピン受け部材１８４のピン孔１８３へ差し込むことで、下辺枠部２１の前記位置を機械的に強固に固定することができる。
逆に荷物Ｗを積み込んだ後、荷台２０を下方へ回転するに際しては、先ず前記の止めピン１８２をピン孔１８３から引き抜く。しかる後に、上記のガススプリング３０を収縮させる操作を行って荷台２０を下方へゆっくりと回転させる。
かくして下方へ回転した荷台２０は、その前囲い枠部２２が車台部１１の受け部材１７へ突き当たって止まる。そこで作業者は、ストッパ手段１９を操作して更に機械的に強固な位置決め固定の処理を行うことができる。
【００３６】
ストッパ手段１９は、図１０と図１４が分かり易いように、前囲い枠部２２を構成する外周フレーム材の前方部位の外側面であって前記車台部１１の受け部材１７と干渉しない後方の位置に、図１０に示した如くピン孔１９０を備えた被固定部材１９１が、荷台２０が下方へ回転する下前方方向へ突き出る配置に固定して設置されている。
一方、車台部１１を構成する外周フレームの前方部位の外側面であって、上記したように前囲い枠部２２が受け部材１７へ突き当たって止まった際に丁度上記被固定部材１９１のピン孔１９０と位置が一致し、同ピン孔１９０への出入りが可能な位置に止めピン１９２（図１１参照）が前記被固定部材１９１の回転方向と直交する向きへ足踏みペダル１９３で駆動し進退自在に設置されている。
【００３７】
したがって、上記したように荷台２０を回転させて下降した前囲い枠部２２が受け部材１７へ突き当たって止まった際に、足踏みペダル１９３を押し回すと、止めピン１９２が前進して、被固定部材１９１のピン孔１９０へ差し込まれて前囲い枠部２２を同位置へ機械的に強固に固定することができる。
もっとも、上記ストッパ手段１８、１９の設置位置及び構造は、上記実施例に限るものではない。特にストッパ手段１９は、ストッパ手段１８と同様に手作業でピン孔へ差し込み又は引き抜く構成で実施することもできる。
【００３８】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００３９】
１          運搬用台車
１１        車台部
１２        前輪
１３        後輪
１４        支柱
１７        受け部材
２０        荷台
２１        下辺枠部
２２        荷物止め部（前囲い枠部）
２６        ローラ
３０        回転緩衝手段（ガススプリング）
４０        連結手段（渡り桟橋板）
４１        フック
４２        連結手段（フック部材）
４３        フック
５０、５１  位置決め手段
１００      トラック
１０１      積荷台
１０２      隙間
１０３      アオリ
Ｗ          荷物（大型・大重量板状物）
【図１】
0005827501.tif 000002
【図２】
0005827501.tif 000003
【図３】
0005827501.tif 000004
【図４】
0005827501.tif 000005
【図５】
0005827501.tif 000006
【図６】
0005827501.tif 000007
【図７】
0005827501.tif 000008
【図８】
0005827501.tif 000009
【図９】
0005827501.tif 000010
【図１０】
0005827501.tif 000011
【図１１】
0005827501.tif 000012
【図１２】
0005827501.tif 000013
【図１３】
0005827501.tif 000014
【図１４】
0005827501.tif 000015